(57)【要約】      （修正有）【課題】頭を載せたときに、頭の外形に沿って詰め物の擦れ音が発生することがなく、頭の凹凸外面に対応してスムーズに変形して、変形面からなる連接面全体で頭を安定よく支えることが可能な安眠枕を提供する。【解決手段】安眠枕は、外袋２と外袋に収容される内袋３と、内袋に内部で十分の流動性を有するように余裕を持って充填される詰め物である多数の真円状の小球体４とからなる。【選択図】図２
0003226048.tif 000002
【実用新案登録請求の範囲】
【請求項１】
平面矩形状の外袋と、外袋に二重に内装される平面矩形状の内袋と、内袋に余裕をもって充填される詰め物である小球体と、からなる安眠枕。
【請求項２】
内外両袋は平面視長方形矩形状に形成され、その一端部を底部となし、他端部を開口部となすとともに両開口部にそれぞれファスナーを取り付けてなる請求項１に記載の安眠枕。
【請求項３】
内袋にその開口部側から小球体を充填し、該開口部をファスナーによって閉塞した状態で、内袋の開口部側から内袋を外袋に二重に内装することによって、外袋の底部側に内袋の開口部側が対面し、外袋の開口部側に内袋の底部側が対面するようになっている請求項１又は２に記載の安眠枕。
【請求項４】
小球体は、ポリプロピレン、ポリウレタン、塩化ビニール、アクリル等の硬質合成樹脂材からなる請求項１〜３の何れかに記載の安眠枕。
【請求項５】
小球体は、どの直径断面を取っても真円に形成される正球体からなり、内袋に充填される詰め物である小球体は、互いの外周面が点接触の状態で充填されてなる請求項１〜４の何れかに記載の安眠枕。
【請求項６】
小球体の直径断面は、３ｍｍ〜８ｍｍ、好ましくは４ｍｍ〜７ｍｍに形成されてなる請求項１〜５の何れかに記載の安眠枕。
【請求項７】
外袋に内装した内袋に多数の小球体を充填した状態で、小球体を内袋内の開口部側に寄せ集めて内袋内の開口部を膨らみ状に小球体を充填し、内袋内の底部側は空洞となっている請求項１〜６の何れかに記載の安眠枕。
【請求項８】
多数の小球体を内袋の開口部側に寄せ集めて該内袋内の開口部側を膨らみ状とし、内袋内の底部側を空洞となるように多数の小球体を内袋に充填した状態から、多数の小球体を内袋内で横方向に均一の高さに均した状態とし、この状態で外袋の外面に圧力をかけることによって、内袋内の多数の小球体は内袋内を余裕をもって流動して、外袋の外面に凹凸変形面を形成するようになっている請求項１〜７の何れかに記載の安眠枕。
【請求項９】
外袋及び内袋の素材は、伸縮性のある編物や織物、天然繊維の編物や織物からなる請求項１〜８の何れかに記載の安眠枕。
【考案の詳細な説明】
【技術分野】
【０００１】
本考案は、使用者の頭を載せたとき、その外形に沿ってスムーズに移動して対応外面を凹凸変形して連接し、その連接面全体で使用者の頭を安定して支える安眠枕に関する。
【背景技術】
【０００２】
従来から安眠枕を形成する袋本体の内部に多数の粒状の詰め物を充填した安眠枕が、例えば実用新案登録弟３０６８０１０号として存在するが、当該安眠袋に充填される詰め物は、角形粒状のチップからなるため、安眠枕に使用者の頭を載せたときに頭の支持形状に作られ、かつその形状が容易に崩れない保形性を有するという利点があるが、反面、詰め物が角形粒状のチップからなるため使用者の頭を載せたときに、多数のチップ同士が面接触してチップが移動し難く、又移動の際に擦れ音が発生して使用者の頭の形状に十分になじめないという難点があった。
【考案の概要】
【考案が解決しようとする課題】
【０００３】
本考案は、上記従来技術に鑑み、使用者の頭を安眠枕に載せたときに、頭の外形に沿って詰め物の擦れ音が発生することがなく、スムーズに移動して頭の凹凸外面を対応して凹凸変形して、凹凸変形面からなる連接面全体で頭を安定よく支えるこのが可能な安眠枕を提供することを目的とするものである
【課題を解決するための手段】
【０００４】
上記目的を達成するための手段を図面の参照符号を付して示せば、請求項１に係る安眠枕１は、平面矩形状の外袋２と、外袋２に二重に内装される平面矩形状の内袋３と、内袋３に余裕をもって充填される詰め物である小球体４と、からなることを特徴とする。
【０００５】
請求項２に係る安眠枕１は、内外両袋２，３は平面視長方形矩形状に形成され、その一端部を底部２ａ，３ａとなし、他端部を開口部２ｃ，３ｃとなすとともに両開口部２ｃ，３ｃにそれぞれファスナー２ｄ，３ｄを取り付けてなる請求項１に記載の構成からなるものである。
【０００６】
請求項３に係る安眠枕１は、内袋３にその開口部３ｃ側から小球体４を充填し：該開口部３ｃをファスナー３ｄによって閉塞した状態で、内袋３の開口部３ｃ側から内袋３を外袋２に二重に内装することによって外袋２の底部２ａ側に内袋３の開口部３ｃ側が対面し、外袋２の開口部２ｃ側に内袋３の底部３ａ側が対面するようになっている請求項１又は２に記載の構成からなるものである。
【０００７】
請求項４に係る安眠枕１は、小球体４は、ポリプロピレン、ポリウレタン、塩化ビニール、アクリル等の硬質合成樹脂材からなる請求項１〜３の何れかに記載の構成からなるものである。
【０００８】
請求項５に係る安眠枕１は、小球体４は、どの直径断面５を取っても真円に形成される正球体４からなり、内袋３に充填される詰め物である小球体４は、互いの外周面４ａが点接触４ｂの状態で充填されてなる請求項１〜４の何れかに記載の構成からなるものである。
【０００９】
請求項６に係る安眠枕１は、小球体４の直径断面５は、３ｍｍ〜８ｍｍ、好ましくは４ｍｍ〜７ｍｍに形成されてなる請求項１〜５の何れかに記載の構成からなるものである。
【００１０】
請求項７に係る安眠枕１は、外袋２に内装した内袋３に多数の小球体４を充填した状態で、多数の小球体４を内袋３の開口部３ｃ側に寄せ集めて、内袋３の開口部３ｃ側を膨らみ状３ｇに小球体４を充填し、内袋３内の底部３ａ側は空洞３ｈとなっている請求項１〜６の何れかに記載の構成からなるものである。
【００１１】
請求項８に係る安眠枕１は、多数の小球体４を内袋３内の開口部３ｃ側に寄せ集めて内袋３の開口部３ｃ側を膨らみ状３ｇとし、内袋３の底部３ａ内が空洞３ｈとなるように小球体４を内袋３に充填した状態から多数の小球体４を内袋３内で横方向に均一の高さ３ｉに均した状態とし、この状態で外袋２の外面２ｅに圧力をかけることによって、内袋３内の多数の小球体４は内袋３内を余裕をもって流動して、外袋２の外面２ｅに凹凸変形面６を形成するようになっている請求項１〜７の何れかに記載の構成からなるものである。
【００１２】
請求項９に係る安眠枕１は、外袋２及び内袋３の素材７，８は、伸縮性のある編物や織物、天然繊維の編物や織物からなる請求項１〜８の何れかに記載の構成からなるものである。
【考案の効果】
【００１３】
この考案に係る安眠枕によれば、使用者の頭を安眠枕に載せたときに、頭の外形に沿って変形する詰め物である多数の小球体が擦れ音を発生することなく、スムーズに移動して対応外面を凹凸変形し、その凹凸変形面からなる連接面全体で頭を安定して均圧に支えることができる。
【図面の簡単な説明】
【００１４】
【図１】本考案に係る安眠枕の一実施形態の外観斜視図である。
【図２】図１のＡ−Ａ線断面図である。
【図３】図１のＢ−Ｂ線断面図である。
【図４】内部に何も充填されていない状態の偏平矩形状の外袋の斜視図である。
【図５】内部に何も充填されていない状態の偏平矩形状の内袋の斜視図である。
【図６】本考案の要部である小球体を拡大して示す外観図である。
【図７】多数の小球体が互いに点接触した状態を示す作用図である。
【図８】多数の小球体を内袋の底部側に寄せ集めて内袋内の底部側も膨らみ状とし内袋内の開口部側が空洞となるようにした状態を示す縦断正面図である。
【図９】使用者の頭を本考案に係る安眠枕に載せた使用状態を示す正面図である。
【図１０】使用者の頭を本考案に係る安眠枕に載せた使用状態を示す側面図である。
【考案を実施するための形態】
【００１５】
以下に、本考案に係る安眠枕の一実施形態を図面に参照して具体的に説明すると、図１は、長手幅と短手幅とからなる通常の膨らみを有する枕状に形成されてなる安眠枕１の外観斜視図で、図２は、図１の枕の長手幅方向に沿うＡ−Ａ線断面図であり、図３は、図１の枕の短手幅方向に沿うＢ−Ｂ線断面図で、多数の小球体４を内袋３に余裕を持った状態で充填し、これらの多数の小球体４を内袋２内で横方向に均一の高さ３ｉに均した状態に示すものである。
【００１６】
本安眠枕１は、図２及び図３から分かるように、外袋２ と外袋２に二重に収容される内袋３と、内袋３に内部で十分の流動性を有するように余裕を持って充填される詰め物である多数の小球体４とからなる。
【００１７】
図４は、何も充填されることのなく平面状に伸展された状態の外袋２を示し、図５も、何も充填されることのなく平面状に伸展された状態の内袋３示し、外袋２と内袋３の素材７，８は、伸縮性のある編物や織物、天然繊維の編物や織物からなり、好ましくは綿１００％の通気性の良い生地を用い、これらを縦長方形状に裁断して、図２及び図３にも示すように、この縦長方形状の生地を２つ折りしてこの２つ折り部分を底部２ａ ，３ａとなし、この底部２ａ，３ａに続く２つ折り返し長手方向周縁部を所要幅内側に折り返してその折り返し面を互いに対面するようにして縫い糸で縫着して両側部２ｂ，３ｂを形成し、両側部２ｂ，３ｂの長手方向端縁を開口部２ｃ，３ｃとなし、これらにチャック２ｄ，３ｄを取り付けることによって平面視長方形矩形状の外袋２と内袋３とを形成し、当然のことながら外袋２の大きさは内袋３に比較して若干大きく形成して内袋３を外袋２に収納し易く形成しているとともに、図２及び図３に示すように、外袋２と内袋３との底部２ａ，３ａは（したがってその開口部２ｃ，３ｃも）、平面視反対向きとして状態で、外袋２の開口部２ｃに小球体３を充填した内袋３をその開口部３ｃから外袋２の内部に挿入するようにしている。このことは 、 図１のＡ−Ａ線断面図である図２にも示すように、外袋１に挿入された内袋３の開口部３ｃ及びチャック３ｄが外袋２の底部２ａに面し、内袋３の底部３ａが外袋２の開口部２ｃ及びチャック２ｄに面している状態が明瞭に図示されている。又、図１のＢ−Ｂ線断面図である図３に示すように、２つ折り返し長手方向周縁部を所要幅内側に折り返してその折り返し面を互いに対面するようにして縫い糸で縫着して両側部２ｂ，３ｂを形成ようにした状態が明瞭に示されている。
【００１８】
図６は、本考案の要部である小球体４を略４倍に拡大して示すもので、ポリプロピレン、ポリウレタン、塩化ビニール、アクリル等の硬質合成樹脂材によって形成され、特に重要なことは、その外観形状が、どの直径断面５をとっても真円に形成される正球体４からなるもので、図７に示すように、多数の小球体４が詰め物として内袋２に充填されることによっで、多数の小球体４は、その外周面４ａが互いに点接触４ｂの状態で流動し、接触抵抗を受けることなく、且つ擦り音の発生することがないように充填されてなる。
【００１９】
そして、小球体４の直径断面５は、３ｍｍ〜８ｍｍ、好ましくは４ｍｍ〜７ｍｍに形成されてなり、例えば、図５に示すように、何も充填されていないで平面状に伸展された状態の内袋２の縦幅Ｌ１が４６０ｍｍ、横幅Ｌ２が３００ｍｍで、厚みＬ３が３０ｍｍの内袋３に４ｍｍの粒状の小球体４を、例えば１万２千〜１万４千粒充填し、図８に示すように、多数の小球体４を内袋３の開口部３ｃ側に寄せ集めて内袋３の開口部３ｃ側が膨らみ状３ｇとし、内袋３の開口部３ｃ側が空洞３ｈとなるように小球体４を内袋３に充填して多数の小球体４が内袋３に目一杯に充填することのない状態から、図２及び図３に示すように多数の小球体４を内袋３内で横方向に均一の高さ３ｉに均した状態とし、この状態で外袋２の外面２ｅに使用者の手によって又は頭を置いて圧力をかけることによって、内袋３内の多数の小球体４は内袋３内を余裕をもって、多数の小球体４の外周面４ａが互いに点接触４ｂの状態で、接触抵抗を受けることなく、すなわち擦れ音を生起することなく円滑に流動して、外袋２の外面３ｅに使用者の頭の凹凸面に応じた凹凸変形面６（図９、図１０）を形成するようになっている。
【００２０】
すなわち、本考案によれば、使用者の頭を安眠枕に載せたときに、頭の外形に沿って変形する詰め物である多数の正球体からなる小球体４が擦れ音を発生することなく、スムーズに移動して、図９及び図１０に示すように、使用者の頭ｍの凹凸面、すなわち頭後部ｍ１が当たる部分６ａは低く、首部又は頭頂部ｍ２が当たる部分６ｂが高くなるようにして、安眠枕１の対応外面２ｅが凹凸変形し、その凹凸変形面６からなる連接面全体で、すなわち頭後部ｍ１から首部ｍ２にかけて連続して安定して支えることができるようになっている。
【００２１】
このように本考案に係る安眠枕によれば、使用者の頭を安眠枕に載せたときに、頭の外形に沿って変形する詰め物である多数の小球体が、どの直径断面をとっても真円に形成される正球体からなるため、互いの小球体の外面同士が面接触することなく点接触に接触するため、互いの小球体群が流動する際に擦れ音を発生することなく、スムーズに移動して対応外面を凹凸変形し、その凹凸変形面からなる連接面全体で頭を安定して均圧に支えることができるに至ったものである。
【符号の説明】
【００２２】
１          安眠枕
２          外袋
３          内袋
４          小球体
４ａ        小球体の外周面
４ｂ        小球体群の点接触
５          小球体の直径断面
６          凹凸変形面
７          外袋の素材
８          内袋の素材
【図１】
0003226048.tif 000003
【図２】
0003226048.tif 000004
【図３】
0003226048.tif 000005
【図４】
0003226048.tif 000006
【図５】
0003226048.tif 000007
【図６】
0003226048.tif 000008
【図７】
0003226048.tif 000009
【図８】
0003226048.tif 000010
【図９】
0003226048.tif 000011
【図１０】
0003226048.tif 000012
【手続補正書】
【提出日】令和2年2月21日(2020.2.21)
【手続補正１】
【補正対象書類名】実用新案登録請求の範囲
【補正対象項目名】請求項６
【補正方法】変更
【補正の内容】
【請求項６】
小球体の直径断面は、３ｍｍ〜８ｍｍに形成されてなる請求項１〜５の何れかに記載の安眠枕。